(57)【要約】【課題】スクリューシャフトに予圧を付与する弾性部材の加工を容易にし、且つ取付構造を簡易化する。【解決手段】スクリューシャフト３の端部３ａ、３ｂがピポット軸受８、１０にて支持されるピポット受け構造とされ、スクリューシャフト３が板バネ１３によって軸方向に付勢されている。スクリューシャフト３を付勢する板バネ１３は、Ｌ字状の折曲部分が、ピポット軸受１０が配設されるブラケット１１に形成された切欠き１４に圧入されることによって取り付けられる。【選択図】  図１
2004194445.tif 000002
【特許請求の範囲】
【請求項１】
スクリューシャフトの両端部がピポット軸受にて支持されるピポット受け構造とされ、上記スクリューシャフトが軸方向に付勢されているステッピングモータにおいて、
上記スクリューシャフトの一端部を支持するピポット軸受が配設されるブラケットと、
上記スクリューシャフトを付勢する弾性部材とを備え、
上記ブラケットには、切欠きが形成され、該切欠きに上記弾性部材の一部が圧入されて取り付けられることを特徴とするステッピングモータ。
【請求項２】
上記弾性部材は、板バネであり、
該板バネの折曲された一端部側が、上記切欠きに圧入されることを特徴とする請求項１記載のステッピングモータ。
【請求項３】
上記板バネは、上記切欠きに圧入される部位が、他の部位に比して幅広とされていることを特徴とする請求項２記載のステッピングモータ。
【発明の詳細な説明】
【０００１】
【発明の属する技術分野】
本発明は、ＣＤ−ＲＯＭドライブ等の光ディスク装置のヘッド送り機構や、デジタルカメラ装置のレンズ送り機構に用いられるステッピングモータに関する。
【０００２】
【従来の技術】
光ディスク装置におけるＣＤ−ＲＯＭ、ＣＤ−Ｒ、ＣＤ−ＲＷ、ＤＶＤ等の光ディスクへの記録、再生時のピックアップや、デジタルカメラ装置におけるオートフォーカス、オートズーム時のレンズ送りに使用されているステッピングモータは、スクリューシャフトの両端部がピポット受け構造となっている場合がほとんどである。
【０００３】
このようなステッピングモータでは、スクリューシャフトの両端部におけるピポット受けを安定させ、該軸方向のがたつきを防止するために、軸受を介して板バネ等の弾性部材を用い、一方の端部においてスクリューシャフトを軸方向に付勢することによって、スクリューシャフトに予圧を付与している。このようにスクリューシャフトを付勢する弾性部材は、ネジ止めやステッピングモータに嵌め込む等の方法によって取り付けられている（例えば、特許文献１や特許文献２を参照）。
【０００４】
【特許文献１】
特開平１０−２７１７９３号公報
【０００５】
【特許文献２】
特開平１１−８９６６号公報
【０００６】
【発明が解決しようとする課題】
しかしながら、弾性部材をネジ止めにより取り付ける場合には、部品点数が多くなり、組立も複雑化するという問題がある。また、弾性部材を嵌め込みにより取り付ける場合には、弾性部材形状をステッピングモータの取付位置に嵌め込みやすいように複雑な形状に加工する必要がある。
【０００７】
そこで、本発明は、スクリューシャフトに予圧を付与する弾性部材の取付構造を簡易化したステッピングモータを提供することを目的とする。
【０００８】
【課題を解決するための手段】
上述した目的を達成する本発明に係るステッピングモータは、スクリューシャフトの両端部がピポット軸受にて支持されるピポット受け構造とされ、スクリューシャフトが軸方向に付勢されているものであって、スクリューシャフトの一端部を支持するピポット軸受が配設されるブラケットと、スクリューシャフトを付勢する弾性部材とを備えてなり、上記ブラケットに切欠きが形成され、この切欠きに弾性部材の一部が圧入されて取り付けられることを特徴とする。
【０００９】
上述した構成を有する本発明に係るステッピングモータは、スクリューシャフトのスポット受け構造を安定させるために、このスクリューシャフトを付勢して予圧を付与する板バネ等の弾性部材を、ピポット軸受が配設されるブラケットに形成された切込みへの圧入という簡易な方法で取り付けている。このため、本発明によれば、予圧付与用の弾性部材を取り付けるのに、ネジ止めの必要が無く、また、板状のバネの如く単純な形状の弾性部材の使用が可能となり、部品点数が最小限に抑えられるとともに、組立の短縮、簡易化が図られる。
【００１０】
【発明の実施の形態】
以下、本発明に係るステッピングモータの具体的な実施の形態について、図面を参照しながら詳細に説明する。
【００１１】
ステッピングモータ１は、図１に示すように、モータ本体２と、モータ本体２から突出して設けられ回転駆動されるスクリューシャフト３とを備えてなり、このスクリューシャフト３の両端部がそれぞれ詳細を後述するピポット軸受にて支持されている。
【００１２】
モータ本体２は、ステータヨーク４に囲われた環状の第１のコイル５、第２のコイル６と、スクリューシャフト３を保持する円筒状のロータマグネット７とを備えてなる。
【００１３】
ステッピングモータ１は、このモータ本体２によってスクリューシャフト３が回転駆動される。具体的には、モータ本体２において、第１のコイル５及び第２のコイル６に通電すると、これら第１のコイル５及び第２のコイル６と、ロータマグネット７との間の磁気相互作用でロータマグネット７が回転することにより、ロータマグネット７に保持されたスクリューシャフト３が回転駆動される。
【００１４】
また、モータ本体２には、該モータ本体２から突出した側のスクリューシャフト３の端部３ａを支持するピポット軸受８が配設されるフレーム９と、モータ本体２内に収容された側のスクリューシャフト３の端部３ｂを支持するピポット軸受１０が配設されるブラケット１１が取り付けられている。このような２個のピポット軸受８、１０でスクリューシャフト３を支持するピポット受け構造においては、スクリューシャフト３の軸方向へのがたつきを防止するために、後述するようにスクリューシャフト３が軸方向に付勢される。
【００１５】
フレーム９には、スクリューシャフト３が挿通する挿通孔９ａが形成されており、この挿通孔９ａに対向位置してピポット軸受８が配設されている。ピポット軸受８は、スクリューシャフト３の端部３ａを受ける受け面を有し、この受け面にスクリューシャフト３の端部３ａを当接させることでスクリューシャフト３を支持する。このピポット軸受８は、本実施の形態では円錐状に形成されたスクリューシャフト３の端部３ａを受ける曲面形状を有する鋼球８ａと、該鋼球８ａを保持する保持体８ｂとからなる。
【００１６】
ブラケット１１は、図２及び図３に示すように、円盤状を呈し、中央にピポット軸受１０が配設される軸受取付孔１２が形成されている。ブラケット１１は、軸受取付孔１２に配設されたピポット軸受１０の軸方向への移動を許容してその移動のガイドを行うとともに、軸方向以外の方向への移動を規制する。
【００１７】
また、ブラケット１１には、軸受取付孔１２に配設されたピポット軸受１０を介してスクリューシャフト３を軸方向に付勢し、ピポット軸受８、１０によるスクリューシャフト３のピポット受け構造を安定させて軸方向へのがたつきを防止するための予圧を与える板バネ１３が取り付けられる切欠き１４が形成されている。
【００１８】
ブラケット１１に取り付けられる板バネ１３は、図４に示すように、長板状の板バネが折曲されてなるものであり、Ｌ字状に折曲された部位が切欠き１４に圧入される。ステッピングモータ１では、この板バネ１３の圧入位置を変更することにより、板バネ１４によって付与する予圧の大きさを自在に調整することができる。
【００１９】
ブラケット１１に配設されるピポット軸受１０は、フレーム４に配設されたピポット軸受８と同様の構成を有している。すなわち、ピポット軸受１０は、円錐状に形成されたスクリューシャフト３の端部３ｂを受ける曲面形状を有する鋼球１０ａと、該鋼球１０ａを保持する保持体１０ｂとからなる。
【００２０】
スクリューシャフト３は、上述したように両端部がピポット軸受８、１０に支持されており、これら端部３ａ、３ｂのピポット軸受８、１０との当接面が、鋼球８ａ、１０ａの曲面形状と合致するよう、円錐状に形成されている。
【００２１】
また、スクリューシャフト３は、詳しい図示は省略するが、例えばデジタルカメラ装置のレンズや、光ディスク装置のヘッド等が搭載されたスライダが取り付けられ、このスライダを上述したようなモータ本体２による回転に伴って、軸方向へ移動させる機能を有している。なお、モータ本体３の回転方向を切り替えることによって、スライダの移動方向が制御される。
【００２２】
上述したステッピングモータ１では、スクリューシャフト３のスポット受け構造を安定させるために予圧を付与する板バネ１３が、ブラケット１１に形成された切込み１４への圧入という簡易な方法で取付可能とされている。したがって、このステッピングモータ１では、予圧付与用の板バネを取り付けるのに、ネジ止めの必要が無いため、部品点数が最小限に抑えられるとともに、組立の短縮、簡易化が図られ、生産性を向上させることができる。また、ステッピングモータ１では、単に折曲させているだけという非常に単純な形状の板バネ１４の使用が可能とされるため、予圧付与用の板バネをブラケット１１に取り付けるために複雑な形状に加工する必要がなくなり、このような構造の簡易化により生産性の向上を図ることができる。
【００２３】
なお、上述した実施の形態においては、板バネ１３を、ブラケット１１の切欠き１４に圧入するＬ字状の部位と、ブラケット１１の半径方向に亘って伸び、ピポット軸受１０を付勢する長板状の部位とが同じ幅としているが、このような形状に限定するものではない。例えば図５に示すように、切欠き１４に圧入するＬ字状の部位を、ピポット軸受１０を付勢する長板状の部位に比して幅広な板バネ２１を使用しても良い。このようにＬ字状の部位を幅広することで、板バネ２１をより安定してブラケット１１に固定することができるようになる。
【００２４】
【発明の効果】
以上、詳細に説明したように、本発明に係るステッピングモータでは、スクリューシャフトのスポット受け構造を安定させるために、このスクリューシャフトを付勢して予圧を付与する弾性部材、例えば板バネが、ピポット軸受が配設されるブラケットに形成された切込みへの圧入という簡易な方法で取り付けられている。したがって、本発明によれば、予圧付与用の弾性部材を取り付けるのに、ネジ止めの必要が無くなり、また、板状のバネの如く単純な形状の弾性部材の使用が可能となり、部品点数を最小限に抑えることができるとともに、組立の短縮、簡易化を図ることができる。そして、このような少ない部品点数や、簡易な組立によって、ステッピングモータの生産性を向上させることができる。
【図面の簡単な説明】
【図１】本発明に係るステッピングモータの縦断面図である。
【図２】板バネが取り付けられたブラケットの平面図である。
【図３】ブラケットの斜視図である。
【図４】板バネの斜視図である。
【図５】他の構成を有する板バネの斜視図である。
【符号の説明】
１      ステッピングモータ
２      モータ本体
３      スクリューシャフト
４      ステータヨーク
５      第１のコイル
６      第２のコイル
７      ロータマグネット
８      ピポット軸受
８ａ    鋼球
８ｂ    保持体
９      フレーム
１０    ピポット軸受
１０ａ  鋼球
１０ｂ  保持体
１１    ブラケット
１２    軸受取付孔
１３    板バネ
１４    切欠き
【図１】
2004194445.tif 000003
【図２】
2004194445.tif 000004
【図３】
2004194445.tif 000005
【図４】
2004194445.tif 000006
【図５】
2004194445.tif 000007